(57)【要約】【課題】被験者の尿温度を高い精度で測定することが可能な尿温度計を提供する。【解決手段】尿温度計１００は、感温部１２を備える温度センサ１０および尿受部材２０を有している。そして、温度センサ１０の感温部１２は、排泄されて空中を落下する尿と尿受部材２０に衝突した尿とがともに通過する位置であってかつ尿受部材２０から流出する尿に浸漬しない位置に配置されている。そして、感温部１２は、落下中の尿の温度を測定するよう構成されている。このため、流下する尿を感温部１２と接触させて尿温度を高い精度で測定することができるとともに、尿受部材２０によって尿を感温部１２に案内することで感温部１２と尿との接触不足が生じることがない。【選択図】図１
2011252828.tif 000002
【特許請求の範囲】
【請求項１】
感温部を備える温度センサおよび尿受部材を有する尿温度計であって、
前記感温部が、排泄されて空中を落下する尿と前記尿受部材に衝突した尿とがともに通過する位置であってかつ前記尿受部材から流出する尿に浸漬しない位置に配置されて落下中の前記尿の温度を測定するよう構成されていることを特徴とする尿温度計。
【請求項２】
前記尿受部材が無底の椀状または筒状をなし、前記尿が流出する流出口が、前記尿が流入する流入口と略同径またはそれ以上である請求項１に記載の尿温度計。
【請求項３】
前記感温部の少なくとも一部が、前記尿の流下方向に延在している請求項１または２に記載の尿温度計。
【請求項４】
前記尿の流下方向に対して交差する方向に延在するアーム部をさらに備える請求項１から３のいずれか一項に記載の尿温度計。
【請求項５】
前記尿受部材が前記温度センサの先端部を螺旋状に巻成してなり、前記感温部が螺旋状の前記尿受部材の先端に設けられている請求項１から４のいずれか一項に記載の尿温度計。
【請求項６】
前記尿受部材が、前記感温部を内部に収容する網状体である請求項１から４のいずれか一項に記載の尿温度計。
【請求項７】
前記尿受部材の少なくとも一部が、前記尿の流入側に向かって凸形状をなしている請求項１から４のいずれか一項に記載の尿温度計。
【請求項８】
感温部を備える温度センサおよび尿受部材を有する尿温度計によって尿の温度を測定する方法であって、
排泄されて空中を落下する尿と前記尿受部材に衝突した尿とがともに通過する位置であってかつ前記尿受部材から流出する尿に浸漬しない位置に配置した前記感温部によって、落下する前記尿の温度を測定することを特徴とする尿温度測定方法。
【発明の詳細な説明】
【技術分野】
【０００１】
本発明は、尿温度計および尿温度測定方法に関する。
【背景技術】
【０００２】
体の深部体温を測定する方法として、尿温度を用いることが試みられている。これに対応して、被験者が排泄した尿の温度を測定する尿温度計が提案されている。
【０００３】
たとえば、特許文献１には、男子用便器の内面壁に装着されて尿が貯留される尿貯蔵部（採尿容器）と、尿貯蔵部に露出して設けられた温度測定用のサーミスタとを備える尿温検出部構造（尿温度計）が記載されている。尿貯蔵部の下方には、上方の開口部に比して細径に形成された縊れ部分や小孔が設けられており、尿貯蔵部からの尿の排出速度が抑制されている。このため、被験者が排泄した通常の流量の尿は尿貯蔵部に所定の深さで貯留され、この温度計は、貯留された尿に浸漬されたサーミスタで尿温度を測定する。
【０００４】
特許文献２には、船底形の採尿容器の底部に形成された尿溜まり（採尿容器）と、この尿溜まりに面して設けられたサーミスタとを備えた尿温度計が記載されている。この尿溜まりには、小径の流出口がサーミスタの下方に開口形成されている。そして、特許文献２の温度計は、採尿容器に貯留された尿に浸漬されたサーミスタで尿温度を測定する。
【０００５】
特許文献３には、尿を採集する採尿容器と、採尿容器の内部に貯留された尿の温度を検出するサーミスタとを備える測定装置（尿温度計）が記載されている。採尿容器の底部には細いスリットが設けられており、所定量の尿が貯留されて尿の自重が大きくなった場合にスリットが開口して尿が低速で排出される。そして、特許文献３の温度計もまた、採尿容器に貯留された尿に浸漬されたサーミスタで尿温度を測定する。
【先行技術文献】
【特許文献】
【０００６】
【特許文献１】特開昭６３−１７１９３３号公報
【特許文献２】特開２００８−７３３１４号公報
【特許文献３】特開２０１０−４８７０４号公報
【発明の概要】
【発明が解決しようとする課題】
【０００７】
特許文献１から３に記載されたいずれの尿温度計も、採尿容器に貯留された尿の温度を測定するものである。これらの尿温度計は、採尿容器に貯留された尿を小孔やスリットから少しずつ排出させることで、新たに採取された尿に置き換えながら尿温度を測定することができるように構成されている。しかしながら、これらの尿温度計では、採尿容器に所定時間にわたって滞留した尿の温度が測定されることから、たとえ微量ずつ尿を置換したとしても、採尿容器と尿との熱交換の影響を無視することができない。このため、尿温度と雰囲気温度との乖離が大きい場合に、高い精度で尿温度を測定することができないという問題がある。具体的には、たとえば寒冷の冬期の場合、数秒から数十秒という尿の限られた排泄時間の中で採尿容器が尿と同等の温度に到達することは困難である。このため、貯留された尿は採尿容器によって常に熱を奪われながらその温度が測定されることとなる。また、採尿容器の下部に小孔やスリットを設けたとしても、液体である尿は、貯留された順番に排出されるとは限らず、採尿容器に長時間滞留する場合がある。このため、滞留して冷却された尿が後続の尿と混合されて、測定対象の尿温度が全体に低下することとなる。
【０００８】
本発明は上述の課題に鑑みてなされたものであり、被験者の尿温度を高い精度で測定することが可能な尿温度計および尿温度測定方法を提供するものである。
【課題を解決するための手段】
【０００９】
本発明の尿温度計は、感温部を備える温度センサおよび尿受部材を有する尿温度計であって、前記感温部が、排泄されて空中を落下する尿と前記尿受部材に衝突した尿とがともに通過する位置であってかつ前記尿受部材から流出する尿に浸漬しない位置に配置されて落下中の前記尿の温度を測定するよう構成されていることを特徴とする。
【００１０】
また、本発明の尿温度測定方法は、感温部を備える温度センサおよび尿受部材を有する尿温度計によって尿の温度を測定する方法であって、排泄されて空中を落下する尿と前記尿受部材に衝突した尿とがともに通過する位置であってかつ前記尿受部材から流出する尿に浸漬しない位置に配置した前記感温部によって、落下する前記尿の温度を測定することを特徴とする。
【００１１】
上記発明によれば、空中を落下する尿と、尿受部材に衝突した尿とがともに通過する位置に温度センサの感温部が設けられているため、排泄された尿を感温部に対して効率的に導くことができる。このとき、感温部は尿受部材から流出する尿に浸漬しない位置に配置されているため、尿受部材との熱授受による尿の温度変化の影響を排除して、尿温度を高い精度で測定することができる。すなわち、上記発明によれば、流下する尿を感温部と接触させて尿温度を高い精度で測定することができるとともに、尿受部材によって尿を感温部に案内することで感温部と尿との接触不足が生じることがない。これにより、体の深部体温を近似するといわれる尿温度を維持した状態で、感温部と尿とを充分に接触させることができる。
【００１２】
なお、上記発明において、対象物が尿に浸漬するとは、凹部に貯留された尿に対象物がひたされることを意味する。また、感温部が尿受部材から流出する尿に浸漬しない位置に配置されているとは、成人の標準的な尿流曲線パターンにしたがって排泄された尿の全量を尿受部材で受けたときに、尿が尿受部材に貯留されることなく感温部を流下するか、または尿受部材に貯留された尿が感温部に接触せずに流下することをいう。
【００１３】
なお、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【発明の効果】
【００１４】
本発明の尿温度計および尿温度測定方法によれば、被験者の尿温度を高い精度で測定することができる。
【図面の簡単な説明】
【００１５】
【図１】本発明の第一実施形態にかかる尿温度計を示す斜視図である。
【図２】感温部および尿受部材の拡大図である。
【図３】第二実施形態の尿温度計の先端部を示す斜視図である。
【図４】第三実施形態の尿温度計の先端部を示す斜視図である。
【図５】第四実施形態の尿温度計の先端部を示す斜視図である。
【図６】第五実施形態の尿温度計の先端部を示す斜視図である。
【発明を実施するための形態】
【００１６】
以下、本発明の実施形態を図面に基づいて説明する。尚、すべての図面において、同様な構成要素には同様の符号を付し、適宜説明を省略する。
【００１７】
＜第一実施形態＞
図１は、本発明の第一実施形態にかかる尿温度計１００を示す斜視図である。ただし、本体部７０と、感温部１２を除くアーム部３０の一部に関しては、模式的に簡易的に図示している。
【００１８】
はじめに、本実施形態の尿温度計１００の概要について説明する。
尿温度計１００は、感温部１２を備える温度センサ１０および尿受部材２０を有している。そして、温度センサ１０の感温部１２は、排泄されて空中を落下する尿Ｕ１と尿受部材２０に衝突した尿Ｕ２とがともに通過する位置であってかつ尿受部材２０から流出する尿Ｕ３に浸漬しない位置に配置されている。そして、感温部１２は、落下中の尿Ｕ１、Ｕ２の温度を測定するよう構成されている。
【００１９】
次に、本実施形態について詳細に説明する。
本実施形態の尿温度計１００は全体に略棒状をなし、可搬性を有している。ユーザである被験者は、尿温度計１００の基端側にあたる本体部７０を手で把持した状態で、先端側の感温部１２に対して尿を排出する。
【００２０】
本体部７０の先端側には、細長形状のアーム部３０が形成されている。アーム部３０は、尿Ｕ１の流下方向に対して交差する方向に延在している。
【００２１】
アーム部３０の内部には温度センサ１０が設けられている。具体的には、温度センサ１０の信号線１６がアーム部３０に挿通されており、アーム部３０の最先端位置には感温部１２が設けられて信号線１６が接続されている。感温部１２による温度測定結果にかかる信号は、信号線１６を通じて本体部７０に伝送される。
【００２２】
本体部７０の内部には制御部（図示せず）が設けられている。制御部の具体的な動作の説明は省略するが、感温部１２から信号線１６を通じて伝送された信号を読みとって温度データに換算し、この測定温度を表示部７２に表示出力する。
【００２３】
温度センサ１０には、熱電対や、白金センサやサーミスタなどの測温抵抗式の温度センサを用いることができる。そして、熱電対や測温抵抗体が感温部１２にあたる。
【００２４】
本実施形態の表示部７２は、小数点以下第二位までの摂氏温度の表示形式で測定温度を表示する（図示の例では、３６度２分５厘）。かかる測定精度で尿温度を測定する場合、特許文献１から３のように採尿容器に尿を貯留して温度測定する方式では、貯留されている間の温度変化の影響が無視できなくなる。これに対し、本実施形態の尿温度計１００は、流下中の尿Ｕ１、Ｕ２、すなわち排泄されてそのまま落下している尿Ｕ１および尿受部材２０で反射してから落下している尿Ｕ２の温度を測定することができる。このため、排泄されてから温度測定されるまでの尿温度の変化を低減することが可能であり、小数点以下第二位のオーダーの測定精度を実現することができる。そして、このオーダーで尿温度を測定することで、たとえば病気の発症前の体調変化や、基礎体温の周期的な変化を検知することが可能となる。
【００２５】
本体部７０には、温度測定の動作を指示するための操作ボタンを備えている。本実施形態では、一例として、電源ボタン７６とリセットボタン７７とが本体部７０に設けられている。
電源ボタン７６を押下すると、制御部は温度センサ１０に通電して、尿温度を測定可能なスタンバイ状態とする。また、リセットボタン７７を押下すると、表示部７２に表示された前回の温度測定結果がクリアされる。
このほか、本体部７０には、温度測定結果を外部機器に出力するためのインタフェースや操作ボタンを任意で設けてもよい。
【００２６】
尿温度計１００の長手方向の中間部にはヒンジ７４が設けられており、アーム部３０を本体部７０に対して折り畳むことが可能である。これにより本実施形態の尿温度計１００の可搬性が高まり、また搬送時には温度センサ１０の感温部１２を本体部７０によって保護することができる。
【００２７】
本実施形態の尿温度計１００は、尿受部材２０を備えている。尿受部材２０は、排泄された尿を受け止めて、その少なくとも一部を感温部１２に向けて案内するための部材である。尿受部材２０の具体的な形状は特に限定されず、半割筒状や本実施形態のような椀状などの曲面状のほか、後述する第三実施形態のような網状（メッシュ状）や、第四実施形態のような螺旋状、第五実施形態のような平板状など、種々の形態を採ることができる。
【００２８】
尿受部材２０は感温部１２の周囲またはその上方に設けられている。本実施形態でいう上方とは、ユーザが本体部７０を把持した場合に上側にあたる、尿の流入側を便宜的に規定するものである。
【００２９】
尿受部材２０は、無底の椀状または筒状をなしている。尿Ｕ３が流出する流出口２４は、尿Ｕ１が流入する流入口２２と略同径またはそれ以上である。
ここで、流出口２４と流入口２２とが略同径であるとは、流出口２４の径が、流入口２２より流入した尿の流れを実質的に阻害しない程度の径であることを意味し、具体的には、流出口２４の開口面積が流入口２２の開口面積の二分の一以上であるこという。流出口２４は、流入口２２よりも大径でもよい。流出口２４を流入口２２よりも小径とする場合、尿受部材２０に流入した尿Ｕ１、Ｕ２が尿受部材２０の内部で滞留しないよう、流出口２４を充分な開口面積とする。
【００３０】
尿受部材２０は、成人の標準的な最大尿流率の尿が持続的に尿受部材２０に供給された場合にも、尿受部材２０に尿の滞留領域が形成されないか、またはこの滞留領域の外部に感温部１２が設けられており、感温部１２は尿に浸漬することがない。
流出口２４の開口面積は、成人の標準的な尿の流束の断面積よりも大きい。より具体的には、流出口２４は、成人の標準的な最大尿流率である１５ｍｌ／秒の尿が持続的に通過可能な開口面積を有している。さらに、流出口２４は、１５ｍｌ／秒の流量の尿が、感温部１２の位置を起点（速度ゼロ）として自由落下した場合にも、当該尿が尿受部材２０の内部で滞留することなく通過可能なだけの開口面積を有している。
【００３１】
本実施形態の尿受部材２０は、下方（流出口２４側）に向かって凸となる無底の椀状をなしている。尿受部材２０はアーム部３０の先端側に固定されており、感温部１２は尿受部材２０の内側に突出した位置に、かつ尿受部材２０から離間して設けられている。
【００３２】
図２は、感温部１２および尿受部材２０の拡大図である。アーム部３０の一部と本体部７０は図示を省略している。同図を用いて、本実施形態の尿温度計１００による尿温度測定方法（以下、本方法という場合がある）を説明する。
【００３３】
本方法は、感温部１２を備える温度センサ１０および尿受部材２０を有する尿温度計１００によって尿Ｕ１、Ｕ２の温度を測定する方法に関する。そして本方法は、排泄されて空中を落下する尿Ｕ１と尿受部材２０に衝突した尿Ｕ２とがともに通過する位置であってかつ尿受部材２０から流出する尿Ｕ３に浸漬しない位置に配置した感温部１２によって、落下する尿Ｕ１、Ｕ２の温度を測定することを特徴とするものである。
【００３４】
被験者が排泄した尿の一部（尿Ｕ１）は直接に感温部１２に衝突し、他の一部（尿Ｕ２）は尿受部材２０の内側面２６で向きを変えられて飛散する。飛散した尿Ｕ２の少なくとも一部は感温部１２と接触する。感温部１２に接触した尿Ｕ１、Ｕ２は、感温部１２の周囲で滞留することなく流出口２４より尿Ｕ３として流下する。
【００３５】
本実施形態の尿温度計１００は可搬式であって位置が非固定であるため、尿の排泄位置と感温部１２とを近接させることが可能である。また、空気は熱容量が小さいため、空中を落下する尿Ｕ１は、ほぼ深部体温を保ったままで感温部１２に至る。尿受部材２０で衝突した尿Ｕ２に関しても、尿受部材２０との衝突時間は一瞬であるため、尿受部材２０と尿Ｕ２との熱授受は僅かである。そして、感温部１２を取り囲む尿受部材２０に衝突した尿Ｕ２は全周囲から感温部１２に向かって反射する。このため、ほぼ深部体温を保った尿Ｕ１、Ｕ２が感温部１２に多量に供給されて尿温度が測定される。
【００３６】
＜第二実施形態＞
図３は本実施形態にかかる尿温度計１００の先端部を示す斜視図である。
【００３７】
本実施形態の尿受部材２０は無底の筒状をなし、その軸方向（同図の上下方向）が尿Ｕ１、Ｕ２の通過方向にあたる。
より具体的には、本実施形態の尿受部材２０は、流入口２２から流出口２４に向かって縮径するテーパー管状をなしている。ただし、流出口２４は、流下する尿Ｕ３の流量に比べて充分な開口面積を有しており、尿Ｕ３は尿受部材２０の内部に貯留されることはない。また、尿Ｕ１、Ｕ２の流量が多く、流出口２４の近傍に尿が滞留したとしても、感温部１２は尿受部材２０の略中央またはその上方に設けられているため、滞留した尿に感温部１２が浸漬することはない。
【００３８】
尿受部材２０には、温度センサ１０の先端部１８が貫入している。温度センサ１０の先端部１８には感温部１２が設けられており、感温部１２は尿受部材２０の内側に内包されている。
【００３９】
尿受部材２０の少なくとも一部は、尿Ｕ１の流入側に向かって凸状に形成されている。本実施形態の場合、テーパー管状の尿受部材２０の内側面２６は流入口２２および内側に向かって凸状をなしている。これにより、尿Ｕ２は内側面２６で反射したのち、尿受部材２０の略中央に配置された感温部１２に向かって飛散する。言い換えると、尿Ｕ２のうち、内側面２６の表面に沿って流れ落ちる流量を低減し、内側面２６で反射して感温部１２に到達する流量を増大させることができる。
【００４０】
本実施形態の尿温度計１００は、感温部１２の少なくとも一部が尿Ｕ１の流下方向に延在している。
尿Ｕ１の流下方向は上下方向であり、感温部１２はアーム部３０から尿受部材２０の軸方向に沿って流入口２２側または流出口２４側の一方または両方に向かって延在している。図３に示す本実施形態の温度センサ１０の場合、感温部１２の全体を含む温度センサ１０の先端部１８が流入口２２に向かって屈曲形成されている。
【００４１】
これにより、空中を落下する尿Ｕ１と、内側面２６で反射した尿Ｕ２が、ともに感温部１２の延在方向（長手方向）に沿って流下することとなり、尿Ｕ１、Ｕ２と感温部１２との接触時間を長くすることができる。これにより、尿受部材２０によって尿Ｕ２を感温部１２に案内する機能とあいまって、尿Ｕ１、Ｕ２を感温部１２に対して充分に接触させることができるため、尿温度を高い精度で測定することが可能である。
【００４２】
なお、本実施形態に代えて、温度センサ１０の先端部１８を流出口２４に向けて屈曲形成してもよく、または先端部１８をＴ字状として、流入口２２および流出口２４の双方に向かって感温部１２を両側に延在させてもよい。
【００４３】
＜第三実施形態＞
図４は本実施形態にかかる尿温度計１００の先端部を示す斜視図である。
【００４４】
本実施形態の尿受部材２０は、感温部１２を内部に収容する網状体である。より具体的には、本実施形態の尿受部材２０は上方開口した椀状をなしている。流入口２２は、開口部に周設されたフレーム部２３によって画成されている。一方、網状体からなる本実施形態の尿受部材２０は、椀状の周面の全体が流出口２４となって尿Ｕ３を流下させる。
【００４５】
尿受部材２０は、所定の太さの線材を編組してなる。線材同士のピッチは線材の太さよりも大きい。言い換えると、尿受部材２０の目開きの面積は、線材部分の面積よりも大きい。これにより、尿Ｕ１、Ｕ２が感温部１２の周囲に滞留することなく尿Ｕ３として尿受部材２０を通過することができる。
【００４６】
また、尿受部材２０に衝突した尿Ｕ２の一部の飛沫は反射して感温部１２に到達し、空中を落下する尿Ｕ１とともに、感温部１２で尿温度が測定される。
一方、尿Ｕ２の他の一部は尿受部材２０の網目に付着して熱を授受し、尿受部材２０および感温部１２の周囲の雰囲気を被験者の体温に近づける。これにより、尿温度が測定される尿Ｕ１、Ｕ２と雰囲気との熱授受が低減される。つまり、本実施形態の尿受部材２０では、尿受部材２０と感温部１２とが離間しているため、尿受部材２０の網目に付着して雰囲気を加温（雰囲気が体温よりも高温の場合は冷却）する尿Ｕ２と、尿受部材２０で反射して感温部１２で温度測定に供される尿Ｕ１、Ｕ２とが区別される。これにより、尿受部材２０および雰囲気と熱授受して温度降下（または温度上昇）した尿Ｕ２によって温度測定結果に測定誤差が生じることが防止される。
【００４７】
＜第四実施形態＞
図５は本実施形態にかかる尿温度計１００の先端部を示す斜視図である。
【００４８】
本実施形態の尿受部材２０は、温度センサ１０の先端部１８を螺旋状に巻成してなり、温度センサ１０の感温部１２は、螺旋状の尿受部材２０の先端に設けられている。
すなわち、温度センサ１０が内部に設けられたアーム部３０の螺旋状の先端部が尿受部材２０を構成している。
【００４９】
尿受部材２０は螺旋テーパー状をなし、先端側にあたる流出口２４の径よりも、基端側にあたる流入口２２の径の方が大きい。これにより、被験者が排泄した尿Ｕ１、Ｕ２は、大径の流入口２２によって捕集され、小径の流出口２４の略中央に位置する感温部１２に向かって案内される。ここで、流入口２２の径は、螺旋状の尿受部材２０のもっとも基端側の周回の巻径であり、流出口２４の径は、螺旋状の尿受部材２０のもっとも先端側の周回の巻径である。
【００５０】
尿Ｕ１は、空中を落下して感温部１２に直接に到達する尿である。尿Ｕ２は、尿受部材２０に衝突し、螺旋の内側に飛散して感温部１２に到達する尿である。また、尿Ｕ４は、尿受部材２０の螺旋に沿って流下して感温部１２に到達する尿である。そして、尿Ｕ３は、尿受部材２０から排出される尿である。
【００５１】
本実施形態の尿受部材２０は、尿Ｕ３が滞留することがないよう、流出口２４が充分な開口面積を有している。これにより、感温部１２では、流下中の尿Ｕ１、Ｕ２、Ｕ４の温度が測定される。尿受部材２０に沿って渦状に流れる尿Ｕ４は尿受部材２０の螺旋部分と接触して所定の熱授受がなされるものの、棒状のアーム部３０は表面積が僅かであり尿Ｕ４の温度変化は限定的である。このため、貯留された尿の温度を測定する従来の尿温度計に比べて、高い測定精度で尿温度を測定することが可能である。
【００５２】
本実施形態の尿温度計１００によれば、螺旋テーパー状の尿受部材２０によって被験者の尿を感温部１２に向かって良好に案内することができる。また、尿受部材２０には尿が貯留されないため、尿受部材２０との熱授受が抑制された尿の温度を感温部１２によって測定することができる。
【００５３】
＜第五実施形態＞
図６は本実施形態にかかる尿温度計１００の先端部を示す斜視図である。
【００５４】
本実施形態の尿温度計１００は、通孔２８が形成された平板状の尿受部材２０の内部に温度センサ１０およびその信号線１６が埋設されている。
温度センサ１０の先端に位置する感温部１２は、通孔２８の内部に露出している。通孔２８はテーパー孔であり、一方面側（同図の上側）の流入口２２は、他方面側の流出口２４よりも大径である。このため、流入口２２と流出口２４とを結ぶ内側面２６は円錐台面であり、その法線方向は、流入口２２に向かう上方成分をもつ。これにより、流入口２２に尿Ｕ１、Ｕ２が流入すると、尿Ｕ２は内側面２６で反射して通孔２８の内側上方に飛散して感温部１２に至り、尿Ｕ１は落下して感温部１２に直接に接触する。
また、流出口２４は流入口２２と略同径であり、尿Ｕ３は通孔２８に滞留することなく流出口２４より排出される。
【００５５】
これにより、本実施形態の尿温度計１００でも、尿受部材２０で案内された尿Ｕ２が尿Ｕ１とともに感温部１２に供給され、かつ流下中の尿Ｕ１、Ｕ２の温度が感温部１２で測定される。
【００５６】
なお、本発明は上述の実施形態に限定されるものではなく、本発明の目的が達成される限りにおける種々の変形、改良等の態様も含む。
たとえば、上記実施形態においては可搬式の尿温度計１００を例示したが、本発明はこれに限られない。アーム部３０を便器（図示せず）または便座に固定するための装着部をさらに有する、据置型の尿温度計としてもよい。
【００５７】
そして、便器または便座に対して尿温度計１００に常設しておくことにより、被験者は日常的に自身の尿温度を測定することができる。このため、腋下温度をあえて測定する動機づけに至らない未病状態などにおいても、僅かな体調の悪化を検知することができる。
【００５８】
また、本発明の尿温度計１００は、尿温度以外の生体パラメータを尿より取得してもよい。一例として、尿Ｕ１、Ｕ２に含まれる尿糖の量を計測する尿糖計の機能を有してもよい。具体的には、温度センサ１０の感温部１２と同位置に、尿糖値を測定するバイオセンサを並設するとよい。バイオセンサとしては、たとえば、尿中のグルコースを酵素によって過酸化水素に変え、その過酸化水素の量を測定する、いわゆる酵素電極法に基づく尿糖計を用いることができる。
【００５９】
そして、尿温度計１００の制御部では、温度センサ１０による尿温度の測定結果を用いて、尿糖計の測定結果を温度補償してもよい。具体的には、制御部は、温度センサ１０による測定温度を取得する尿温度取得部と、尿糖計で測定された尿糖値を取得する尿糖値取得部と、尿温度と補正係数とを対応付けた記憶部と、取得した測定温度に対応する補正係数を記憶部から呼び出して尿糖値（取得値）を補正する尿糖値補正部と、を備えるとよい。これにより、本発明による高精度の尿温度測定結果を用いて尿糖値を温度補償することができるため、尿糖値に関しても高い精度で測定することが可能となる。
【符号の説明】
【００６０】
１０    温度センサ
１２    感温部
１６    信号線
１８    先端部
２０    尿受部材
２２    流入口
２３    フレーム部
２４    流出口
２６    内側面
２８    通孔
３０    アーム部
７０    本体部
７２    表示部
７４    ヒンジ
７６    電源ボタン
７７    リセットボタン
１００    尿温度計
Ｕ１〜Ｕ４    尿
【図１】
2011252828.tif 000003
【図２】
2011252828.tif 000004
【図３】
2011252828.tif 000005
【図４】
2011252828.tif 000006
【図５】
2011252828.tif 000007
【図６】
2011252828.tif 000008